(57)【要約】      （修正有）【課題】ショルダーベルトの取り扱いを便利にすることが可能な、ショルダーベルト用留め具を有するバッグを提供する。【解決手段】ショルダーベルト５を有するバッグ１の適宜位置に、一方側に開放した挟み部を有するショルダーベルト用留め具２が設けられ、挟み部でショルダーベルト５の適宜個所を保持することにより、ショルダーベルト５が垂れ下がることを防止できるバッグ１である。ショルダーベルト５を使用しない場合、ショルダーベルト５をバッグ１に引っ掛けた状態に留めて保持できるので、ショルダーベルト５が垂れ下がって地面に接して汚れたり、何かに引っ掛かったりすることを防止でき、ショルダーベルト５の取り扱いが大変便利なバッグ１となる。【選択図】図１
0003195018.tif 000002
【実用新案登録請求の範囲】
【請求項１】
ショルダーベルト（５）を有するバッグ（１）の適宜位置に、一方側に開放した挟み部（３）を有するショルダーベルト用留め具（２）が設けられ、前記挟み部（３）でショルダーベルト（５）の適宜個所を保持することにより、ショルダーベルト（５）が垂れ下がることを防止できるようにしたことを特徴とするバッグ（１）。
【請求項２】
バッグの取っ手（７）の下端部にショルダーベルト用留め具（２）が設けられた請求項１記載のバッグ（１）。
【請求項３】
バッグ側面（８）にショルダーベルト用留め具（２）が設けられた請求項１記載のバッグ（１）。
【考案の詳細な説明】
【考案の詳細な説明】
【技術分野】
【０００１】  本考案は、ビジネスバッグ、旅行用バッグ等、ショルダーベルトを有するバッグのうち、ショルダーベルトの取り扱いを便利にすることができる留め具を有するバッグに関するものである。
【背景技術】
【０００２】  従来、ビジネスバッグ、旅行用バッグ等には例えば駅等で切符を購入する際等、両手を使用する時に、取っ手を握らずバッグを身につけて使用するために肩から下げるショルダーベルトが付属している。
【考案の概要】
【考案が解決しようとする課題】
【０００３】  しかしながら、これらショルダーベルトを有するバッグは、ショルダーベルトを使用せずに、バッグ本体上端の取っ手を持って携帯する場合、ショルダーベルトが垂れ下がった状態になり、ショルダーベルトが地面に接して汚れたり、何かに引っ掛かったりする危険性があった。【０００４】  そのため、ショルダーベルトを取り外してバッグ本体内に収納したり、バッグ本体上端の取っ手といっしょに手で握り持ったりしていたが、わずらわしく、邪魔で、取り扱いが不便であった。【０００５】  そこで本考案は上記従来における問題点を解決し、ショルダーベルトの取り扱いを便利にすることが可能な、ショルダーベルト用留め具を有するバッグを提供することを課題とする。
【課題を解決するための手段】
【０００６】  上記課題を解決するためにショルダーベルト（５）を有するバッグ（１）の適宜位置に、一方側に開放した挟み部（３）を有するショルダーベルト用留め具（２）が設けられ、前記挟み部（３）でショルダーベルト（５）の適宜個所を保持することにより、ショルダーベルト（５）が垂れ下がることを防止できるようにしたことを特徴とする。【０００７】  またこの考案を構成するショルダーベルト用留め具は、バッグ側部や、取っ手の下端部に設けることができる。
【考案の効果】
【０００８】  この考案のショルダーベルト用留め具を有するバッグは、上述のような構成を有しており、ショルダーベルトを使用しない場合、ショルダーベルトをバッグに引っ掛けた状態に留めて保持できるので、ショルダーベルトが垂れ下がって地面に接して汚れたり、何かに引っ掛かったりすることを防止でき、ショルダーベルトの取り扱いを便利にすることができる。【０００９】  しかも、挟み部は、一方側が開放した形状となっているので、ショルダーベルトを出し入れしやすく、極めて容易に着脱することが可能で、わずらわしさがなく、ショルダーベルトの取り扱いが便利なバッグとなる。【００１０】  バッグ側面部以外にも、前部、後部、上端部あるいは底部の適宜位置に設けることもできるが、特に取っ手の下端部の生地に留め具を取り付けると、ショルダーベルトがバッグの前部側に位置し、素早く着脱できるので、急いでいるときにかなり便利であり、ショルダーベルトを留め具に留めても手で握り締めて保持しているのと同じ効果が得られるものとなる。
【図面の簡単な説明】
【００１１】
【図１】本考案の実施形態のうち、バッグの取っ手の下端部にショルダーベルト用留め具を設けたバッグで、留め具を使用していない状態の斜視図である。
【図２】本考案のバッグのショルダーベルト用留め具の正面図である。
【図３】本考案の図１の実施形態のバッグにショルダーベルト用留め具を取り付けた状態を示す説明図である。
【図４】本考案の図１の実施形態のショルダーベルト用留め具を設けたバッグで、留め具を使用している状態の斜視図である。
【図５】本考案の実施形態のうち、バッグ側面にショルダーベルト用留め具を設けたバッグの斜視図である。
【図６】本考案の図５の実施形態のバッグにショルダーベルト用留め具を取り付けた状態を示す説明図である。
【考案を実施するための形態】
【００１２】  本考案のショルダーベルトを有するバッグは、一方側に開放した挟み部を有するショルダーベルト用留め具がバッグの適宜位置に設けられ、前記挟み部でショルダーベルトの適宜個所を保持することにより、ショルダーベルトが垂れ下がることを防止できるようにしたものである。
【００１３】  本考案におけるショルダーベルト用留め具は、金属製、合成樹脂製等、適宜の素材で製造することができ、大きさ、形状、デザイン等も特に限定されない。
【００１４】  またそれぞれの部位において形成される場合も、縫製等の手段で形成されるのが良い。そして挟み部の幅もショルダーベルトと同程度とするのが良い。
【実施例】
【００１５】  以下、図１、図２、図３、図４、図５及び図６にて本考案のショルダーベルト用留め具を有するバッグについて説明するが、本考案の実用新案登録請求の範囲に記載の考案を何ら限定するものではない。【００１６】  図１は本考案の実施形態のうち、バッグ（１）の取っ手（７）の下端部にショルダーベルト用留め具（２）を帯（６）の手段で縫製して設けたバッグ（１）のうちショルダーベルト（５）をショルダーベルト用留め具（２）にまだ留めていない状態を示すものである。【００１７】  図２は本考案のバッグ（１）を構成するショルダーベルト用留め具（２）の正面図を示しており、挟み部（３）は、一方の挟み部（３ａ）側が開放した形状となっているので、開放されていない挟み部（３ｂ）とでショルダーベルト（５）を出し入れしやすく、極めて容易に着脱することが可能で、わずらわしさがなく、ショルダーベルト（５）の取り扱いが便利になるのが理解できる。またこのショルダーベルト用留め具（２）は、下側部分の左右端から中央に向かって延びる腕（４ａ），（４ｂ）が、帯（６）の生地を挟み込み外れないように形成されている。【００１８】  図３は、図１の実施形態の本考案のバッグ（１）のショルダーベルト用留め具（２）の取り付け方を示しており、取っ手（７）の下端部にショルダーベルト用留め具（２）を帯（６）に縫製の手段で設けており、一方の挟み部（３ａ）側が開放した形状で上向きになっているので、開放されていない挟み部（３ｂ）とでショルダーベルト（５）を開放部分から出し入れしやすいのが理解出来る。【００１９】  図４は、本考案の図１の実施形態の本考案のバッグ（１）のショルダーベルト用留め具（２）を取っ手（７）の下端部に設けたバッグ（１）で、ショルダーベルト用留め具（２）にショルダーベルト（５）をラフに引っ掛けて使用している状態を示している。【００２０】  図５は、本考案の実施形態のうち、バッグ側面（８）にショルダーベルト用留め具（２）を帯（６）を用いて設けたバッグ（１）を示した図である。【００２１】  図６は、図５の実施形態の本考案のバッグ（１）のショルダーベルト用留め具（２）の取り付け方を示しており、バッグ側面（８）の端部にショルダーベルト用留め具（２）を帯（６）に縫製の手段で設けており、一方の挟み部（３ａ）側が開放した形状で上向きになっているので、開放されていない挟み部（３ｂ）とでショルダーベルト（５）を開放部分から出し入れしやすいのが理解出来る。
【産業上の利用可能性】
【００２２】  本考案は、ビジネスバッグ、旅行用バッグ等、ショルダーベルトを有するバッグのうち、ショルダーベルト用留め具を有するバッグに関するものであり、ショルダーベルトを使用しない場合、ショルダーベルトを簡単にバッグに引っ掛けた状態に維持できるので、ショルダーベルトが垂れ下がって地面に接して汚れたり、何かに引っ掛かったりすることを防止でき、ショルダーベルトの取り扱いを便利にすることができる。【００２３】  しかも、挟み部は、一方側が開放した形状となっているので、ショルダーベルトを出し入れしやすく、極めて容易に着脱することが可能で、わずらわしさがなく、ショルダーベルトの取り扱いが大変便利なバッグになる。【００２４】  バッグ側面部以外にも、前部、後部、上端部あるいは底部の適宜位置に設けることもできるが、特に取っ手の下端部の生地に留め具を取り付けると、ショルダーベルトがバッグの前部側に位置し、素早く着脱できるので、急いでいるとき等にかなり便利であり、ショルダーベルトを引っ掛けて留めても手で握り締めているのと同じ状態となり非常に優れたものとなる。
【符号の説明】
【００２５】１  バッグ    ２  ショルダーベルト用留め具    ３、３ａ、３ｂ  挟み部
４、４ａ、４ｂ  腕    ５  ショルダーベルト    ６  帯
７  取っ手    ８  バッグ側面
【図１】
0003195018.tif 000003
【図２】
0003195018.tif 000004
【図３】
0003195018.tif 000005
【図４】
0003195018.tif 000006
【図５】
0003195018.tif 000007
【図６】
0003195018.tif 000008